(57)【特許請求の範囲】
【請求項１】
船舶に固定される釣竿１１と、
前記釣竿１１の先端に連結された補助釣糸１２と、
前記補助釣糸１２の先端に連結された補助錘１４と、
前記補助錘１４の下端に連結された小環１３と、
魚を釣るために海水中に下ろされ、前記小環１３を貫通する釣糸３０と、
前記釣糸３０の先端部に連結された錘３１と、
前記錘３１の上側の前記釣糸３０に連結された複数の釣針３２と、
船舶に設置され、前記釣糸３０を下降及び上昇させる釣上機１００と、
前記釣糸３０が海水中に下ろされる程度を制限するために、前記小環１３の上側の前記釣糸３０に連結され、前記小環１３の内径より大きい外径を有する上部玉３３ｂと、
前記釣糸３０が海水中から引き上げられる程度を制限するために、前記小環１３の下側の前記釣糸３０に連結され、前記小環１３の内径より大きい外径を持つ下部玉３３ａとを有し、
前記釣竿１１は湾曲度によって、前記複数の釣針３２にかかった魚の匹数を推定することができる長さを有することを特徴とする漁獲装置。
【請求項２】
前記釣上機１００は、
前記釣糸３０の巻き取り及び繰り出しを行い、該釣糸３０を上昇又は下降させるドラム１０１と、
正面板と、
前記ドラム１０１を回転させるための回転力を発生するモーター１０２と、
前記ドラム１０１と連結された回転軸１０９と、
前記回転軸１０９とチェーン１０８によって連結されて回転力を受ける入力軸１１１と、該入力軸１１１に対して直角方向に伸びている出力軸１１２とを有し、前記回転軸１０９の回転速度を大きく減速させるウォーム減速機１１０と、
前記ウォーム減速機１１０の前記入力軸１１１の回転を制動する電磁ブレーキ１２０と、
前方に伸びた突出軸１３４ａと、該突出軸１３４ａの先端に設けられる上昇制限表示器１３４ｂ及び上昇制限スイッチ１３４ｃと、背面にチェーン１３６がかけられるスプロケットとを有し、前記ウォーム減速機１１０の前記出力軸１１２に相対回転可能に取り付けられる上昇板１３４と、
前記上昇板１３４の前記上昇制限スイッチ１３４ｃを作動させるために、前記ウォーム減速機１１０の前記出力軸１１２に取り付けられるカム１１２ａと、
前記上昇板１３４の前記スプロケットと前記チェーン１３６とを介して連結するスプロケットが後端部に形成されており、前記正面板に回転可能に取り付けられる上昇調節取っ手１３２と、
前方に伸びた下降制限表示器１３５ｂと、下降制限スイッチ１３５ｃと、背面にチェーン１３７がかけられるスプロケットとを有し、前記上昇板１３４の前方で前記ウォーム減速機１１０の前記出力軸１１２に相対回転可能に取り付けられる下降板１３５と、
前記下降板１３５の前記下降制限スイッチ１３５ｃを作動させるために、前記ウォーム減速機１１０の前記出力軸１１２に取り付けられるカム１１２ｂと、
前記下降板１３５の前記スプロケットと前記チェーン１３７を介して連結するスプロケットが後端部に形成され、前記正面板に回転可能に設置される下降調節取っ手１３３と、
前記正面板に取り付けられ、水深を示す目盛りが円周方向に表示されている水深板１３０と、
前記水深板１３０の中央部を貫通する前記ウォーム減速機１１０の前記出力軸１１２の先端に取り付けられる指示器１３１と
を有する請求項1記載の漁獲装置。
【請求項３】
前記釣上機１００は、さらに、前記正面板に取り付けられ、押されている間にだけ前記ドラム１０１及び前記回転軸１０９を釣糸の上昇方向に回転させる上昇ボタン１４１と、
押されている間にだけ前記ドラム１０１及び前記回転軸１０９を釣糸の下降方向に回転させる下降ボタン１４２とを有する請求項２記載の漁獲装置。
【請求項４】
前記釣上機１００は、
前記釣糸３０の巻き取り及び繰り出しを行い、該釣糸３０を上昇又は下降させるドラム１０１と、
前記ドラム１０１を回転させるための回転力を発生するモーター１０２と、
前記モーター１０２の回転速度を減速させる減速機１０３と、
前記ドラム１０１と連結された回転軸１０９と、
減速機１０３の出力軸１０３ａに取り付けられ、釣糸が下降する時、前記ドラム１０１及び前記回転軸１０９が自由自在に回転するように前記回転軸１０９と前記減速機１０３の出力軸１０３ａの連結状態を断続する電磁クラッチ１０４と、
前記電磁クラッチ１０４の出力軸１０４ａと前記回転軸１０９との間に設けられるチェーン１０５と、
前記回転軸１０９とチェーン１０８を介して連結されるウォーム減速機１１０と、
前記ウォーム減速機１１０に接続され、前記回転軸１０９の回転を制動する電磁ブレーキ１２０と
を有する請求項1記載の漁獲装置。
【発明の詳細な説明】
【技術分野】
【０００１】
本発明は、釣上機及び漁獲装置に関し、より詳しくは、水深６０〜１００ｍ程度の深海で棲息する太刀魚、ブリ、サワラ、タイなどの各種の魚を釣り上げるための釣上機及び該釣上機を用いた漁獲装置に関する。
【背景技術】
【０００２】
一般に、太刀魚、ブリ、サワラ、タイは水深６０〜１００ｍ程度の深海で棲息するもので、漁獲過程で表皮に傷つけないように、魚網の代わりに釣りを利用する。従来の漁獲方法は、複数の釣針が連結された釣糸に重い錘をぶら下げて海水中に投下し、その釣糸を手で握り、太刀魚などの魚が釣針にかかって引いているか否かを手の感覚で判断し、一定匹数の魚がかかったと判断できた場合に、釣上機で釣糸を引き上げる。通常、一本の釣糸に５匹程度の魚がかかったと判断できれば釣糸を引き上げる。
【０００３】
ところで、このように手の感覚のみを利用して、釣針にかかった魚の匹数を判断しているため、実際には１、２匹の魚しかかかっていないにもかかわらず、それ以上の匹数の魚が取られたと誤認して釣糸を引き上げてしまう場合がある。この場合、一度の作業で複数匹の魚を釣り上げることができず、操業効率の低下を招く。
【０００４】
また、従来の釣上機は、モーターを利用して釣糸を上昇又は下降させる機能のみを有し、釣糸の上下動の程度を目視で判断し、手動で釣上機を制御する。そのため、操業効率が低下するだけでなく、釣糸を下ろす程度を誤って判断して、釣糸の下ろし方が不十分或いは過度になり、魚が取れない場合がある。
【０００５】
さらに、従来の釣上機は、釣糸を下ろす時もモーターを回転させて釣糸を強制的に解くので、釣糸が海水中に下降する速度と釣上機から解ける速度が相違して釣糸がもつれるか、又は釣りにかけておいた餌が離脱してしまう場合がある。
【０００６】
【特許文献１】特開平０９−０５６３１３号公報
【発明の開示】
【発明が解決しようとする課題】
【０００７】
本発明の目的は、目標とする匹数の魚がかかった後に釣糸をひき上げることで、操業効率を大きく向上させる漁獲装置を提供することである。
【０００８】
本発明の他の目的は、海水中に下ろされる釣糸の長さを適切なものとし、操業効率を大きく向上させる釣上機を提供することである。
【０００９】
本発明のさらに他の目的は、釣糸を海水中に下ろす時、釣糸のもつれを防止し、さらに釣針から餌が離脱することを防止することができる釣上機を提供することにある。
【課題を解決するための手段】
【００１０】
本発明の一観点によれば、漁獲装置は、船舶に固定される釣竿１１と、前記釣竿１１の先端に連結された補助釣糸１２と、前記補助釣糸１２の先端に連結された補助錘１４と、前記補助錘１４の下端に連結された小環１３と、魚を釣るために海水中に下ろされ、前記小環１３を貫通する釣糸３０と、前記釣糸３０の先端部に連結された錘３１と、前記錘３１の上側の前記釣糸３０に連結された複数の釣針３２と、船舶に設置され、前記釣糸３０を下降及び上昇させる釣上機１００と、前記釣糸３０が海水中に下ろされる程度を制限するために、前記小環１３の上側の前記釣糸３０に連結され、前記小環１３の内径より大きい外径を有する上部玉３３ｂと、前記釣糸３０が海水中から引き上げられる程度を制限するために、前記小環１３の下側の前記釣糸３０に連結され、前記小環１３の内径より大きい外径を持つ下部玉３３ａとを有し、前記釣竿１１は湾曲度によって、前記複数の釣針３２にかかった魚の匹数を推定することができる長さを有することを特徴とする。
【発明の効果】
【００１３】
本発明によれば、海水中に下ろされた釣糸の釣針にかかった太刀魚などの魚の匹数を比較的正確に推定して、目標とする匹数の魚が取られた後、釣糸を引き上げることで操業効率を向上させることができる。
【００１４】
また、本発明によれば、釣糸の上下動の程度を自動制御することにより、海水中に下ろされる釣糸の長さを適切なものとし、操業効率を大きく向上させることができる。
【００１５】
さらに、本発明によれば、釣糸を海水中に下ろす時、自然落下させることにより、釣糸のもつれを防止し、さらに釣針から餌が離脱することを防止することができる。
【発明を実施するための最良の形態】
【００１６】
図１は本発明の実施例による釣糸を下ろした状態の漁獲装置を示す構成図である。図２は本発明の実施例による釣糸を引き上げた状態の漁獲装置を示す構成図である。
【００１７】
本実施例の漁獲装置は、例えば、船舶の甲板上に固定される。漁獲装置は、湾曲度によって釣針にかかった魚の匹数を推定するのに利用される釣竿１１、当該釣竿１１の先端に連結された補助釣糸１２、当該補助釣糸１２の先端に連結された補助錘１４、及び当該補助錘１４の下端に連結された小環１３から構成される補助装置を具備している。この補助装置は、釣竿１１の湾曲度によって何匹の魚が後述する釣針３２にかかったかを肉眼で推定するための手段である。
【００１８】
釣竿１１は、例えば、竹で作られたもので、魚などが釣針３２にかかった時、そのかかった程度（匹数等）を推定することができるほどの長さを有し、およそ４〜６ｍの長さを有することが好ましい。
【００１９】
小環１３は、例えば、鋼鉄製で、錘１４は、例えば、鉛製である。錘１４の重さはおよそ５０ｇ程度が好ましい。補助釣糸１２は、実際の設置状態（例えば、図１に示す釣糸を下ろした状態）で錘１４が海水中に少し漬かるようにする長さを持つことが好ましい。
【００２０】
本実施例による漁獲装置は、太刀魚などを釣るために海水中に下ろされた釣糸３０、当該釣糸３０の先端部に連結された錘３１、前記釣糸３０が海水中に下ろされる程度と釣糸３０を引き上げる程度を制限するために釣糸３０の下部と上部にそれぞれ連結され、前記小環１３の内径より大きい外径を持つ二つの玉３３ａ、３３ｂ、前記錘３１と前記玉３３ａの間に連結された複数の釣針３２、及び前記釣糸３０を上下動するために、船舶に設置された釣上機１００を具備している。
【００２１】
前記錘３１は、例えば、鉛からなり、約８００ｇの重さを有することが好ましい。釣糸３０は水深６０〜１００ｍの海でも操業ができるように、１００ｍ以上の長さを持って小環１３を貫通して下方に伸びる。釣針３２は錘３１と下部の玉３３ａとの間の約４０ｍに達する釣糸３０に連結される。本実施例では、約１５個の釣針３２が一定間隔で連結される。
【００２２】
玉３３ａ、３３ｂは中央に貫通孔（図示せず）が形成されており、その貫通孔に釣糸３０を貫通させる。玉３３ａ、３３ｂはその外径が小環１３の内径より大きいため、小環１３を通過することができない。下部の玉３３ａは小環１３の下側に連結し、上部の玉３３ｂは小環１３の上側に連結する。
【００２３】
釣上機１００は、釣糸３０を下降（海中への投下）又は上昇（海中からの回収を）する機能を有し、釣糸３０は釣上機１００付近の案内具２０によって、ドラムから離脱しないように巻き取られ、又は繰り出される。
【００２４】
つぎに、釣上機１００について具体的に説明する。
【００２５】
図３は本実施例による漁獲装置用釣上機１００の正面図である。図４は図３の釣上機１００の平断面図である。図５は図３及び図４の釣上機１００の釣糸昇降調節システムの部分分解斜視図である。
【００２６】
釣上機１００は、釣糸３０の巻取り（上昇）及び繰り出し（下降）を行うドラム１０１と、前記ドラム１０１を回転させるための回転力を発生するモーター１０２、前記モーター１０２の回転速度を減速させる減速機１０３、前記減速機１０３の出力軸１０３ａに連結され、回転力の伝達を断続する電磁クラッチ１０４、前記電磁クラッチ１０４の出力軸１０４ａに取り付けられたスプロケットにかけられたチェーン１０５、及び前記ドラム１０１と連結された回転軸１０９、及び前記回転軸１０９に取り付けられたもので、前記チェーン１０５がかけられるスプロケット１０７とを含んで構成される。出力軸１０４ａは、チェーン１０５及びスプロケット１０７を介して、前記ドラム１０１と連結された回転軸１０９に回転力を伝達する。
【００２７】
前記モーター１０２は、正逆回転が可能なものである。前記電磁クラッチ１０４は減速機１０３の出力軸１０３ａが貫通して回転するようになっており、前記出力軸１０３ａの先端はベアリング１０６に支持され、ドラム１０１の回転軸１０９はその両端のベアリング１０９ａ、１０９ｂによって回転可能に支持される。
【００２８】
本実施例による釣上機１００は、釣糸３０の下降度（長さ）及び上昇度（長さ）を制御するために、釣糸昇降調節システムを具備している。この釣糸昇降調節システムは、例えば、ウォーム減速機１１０、電磁ブレーキ１２０、上昇板１３４、カム１１２ａ、上昇調節取っ手（ノブ）１３２、下降板１３５、カム１１２ｂ、下降調節取っ手（ノブ）１３３、水深板１３０、指示器１３１等を含んで構成される。
【００２９】
ウォーム減速機１１０は、前述したドラム１０１の回転軸１０９と入力軸１１１がチェーン１０８を介して連結されて回転力を受け、前記回転軸１０９の回転速度を大きく減速させる。また、出力軸１１２が入力軸１１１に対して直角方向に伸びている。電磁ブレーキ１２０は、前記ウォーム減速機１１０の入力軸１１１の回転を制動する。
【００３０】
上昇板１３４は、前記ウォーム減速機１１０の出力軸１１２に相対回転可能に取り付けられ、前方（図中垂直下方であり、釣上機１００の各種スイッチ、表示機等が配置されている正面板方向）に伸びた突出軸１３４ａの先端に上昇制限表示器１３４ｂ及び上昇制限スイッチ１３４ｃが設けられ、背面にチェーン１３６がかけられるスプロケットが形成されている。カム１１２ａは、前記上昇板１３４の上昇制限スイッチ１３４ｃを作動させるために、ウォーム減速機１１０の出力軸１１２に取り付けられている。上昇調節取っ手１３２は、前記上昇板１３４のスプロケットとチェーン１３６を介して連結するように、スプロケットが後端部に形成されており、正面板に回転可能に取り付けられている。
【００３１】
下降板１３５は、前記上昇板１３４の前方にウォーム減速機１１０の出力軸１１２に相対回転可能に取り付けられ、前方に伸びた下降制限表示器１３５ｂが設けられ、下降制限スイッチ１３５ｃが設けられており、背面にチェーン１３７がかけられるスプロケットが形成されている。カム１１２ｂは、前記下降板１３５の下降制限スイッチ１３５ｃを作動させるために、ウォーム減速機１１０の出力軸１１２に取り付けられている。下降調節取っ手１３３は、前記下降板１３５のスプロケットとチェーン１３７を介して連結するように、スプロケットが後端部に形成されており、正面板に回転可能に取り付けられた正面板に設置されている。
【００３２】
水深板１３０は、正面板に設けられ、水深を示す目盛りが環状に表示されている。指示器１３１は、前記水深板１３０の中央部を貫通したウォーム減速機１１０の出力軸１１２の先端に取り付けられている。
【００３３】
ウォーム減速機１１０の内部には、ウォーム（ｗｏｒｍ）とウォームホイール（ｗｏｒｍ  ｗｈｅｅｌ）が設けられ、その外に入力軸１１１と出力軸１１２の減速比を調整するためのギア列が構成されている。出力軸１１２は、１回転以内で回転するように、減速比を決定する。
【００３４】
水深板１３０には水深数値が円周方向に０〜７５ｍまで表示されているが、この範囲は変更可能である。前記のように、ウォーム減速機１１０の出力軸１１２にはカム１１２ａ、１１２ｂと指示器１３１が一緒に回転するように固定されるが、これらを固定させるスナップリング、キー、ネジなどは図示を省略した。そして、出力軸１１２と上昇板１３４及び下降板１３５との間には、ベアリングのように相対的に回転可能なようにする手段を備えることができるが、これも図示を省略した。
【００３５】
釣上機１００のボックスの正面板には、上昇オン、下降オン、オフを選択する選択スイッチ１４０が配置されており、ボタンを押している間だけシステムが作動するようにする上昇ボタン１４１と下降ボタン１４２が設けられている。また、釣糸３０が上昇する間に点灯する上昇ランプ１４３と下降する間に点灯する下降ランプ１４４が配置されている。
【００３６】
なお、モーター１０２、減速機１０３、電磁クラッチ１０４、チェーン１０５、スプロケット１０７、回転軸１０９等のドラム１０１に回転力を付与する機構と、ウォーム減速機１１０、電磁ブレーキ１２０等の釣糸昇降調節システムの一部は、筺体内に配置される。また、筺体は、釣糸昇降調節システムの各種操作子及び表示機が配置された正面板を有する。
【００３７】
前記のように構成された本実施例の漁獲装置は次のように作動する。
【００３８】
まず、小環１３を貫通する釣糸３０において、錘３１から約４０ｍ離れた下側位置に下部の玉３３ａを結び、水深によって、小環１３の上側の適切な位置で上部の玉３３ｂを結び、釣糸３０を釣上機１００のドラムに巻いておく。下部の玉３３ａと上部の玉３３ｂ間の距離は、例えば水深が７０ｍであれば約３５ｍになるようにする。そして、図１に示すように、釣竿１１を設置し、錘３１と釣針３２とが連結された部分の釣糸３０を海中に投下する。
【００３９】
この状態で、釣上機１００の下降調節取っ手１３３を回して釣糸３０の下降長を調節するが、前述した条件では、上部の玉３３ｂと釣上機１００間の距離を鑑みて、下降制限表示器１３５ｂが水深板１３０の目盛り７０ｍを指すようにする。下降調節取っ手１３３を回せば、チェーン１３７によって下降板１３５及び下降制限表示器１３５ｂが回転する。そして、下降制限スイッチ１３５ｃもともに回転する。この際、指示器１３１は「０」を示し、カム１１２ａも「０」の方向に向かっている。
【００４０】
ついで、選択スイッチ１４０をオフから下降オンに回転させれば、電磁ブレーキ１２０の制動状態が解除されることにより、釣糸３０の先端に連結された錘３１の自重によってドラム１０１及び回転軸１０９が回転し、ドラム１０１が回転するにしたがい、ドラム１０１に巻き取られている釣糸３０が繰り出される（解ける）ことになる。この状態で、電磁クラッチ１０４は分離状態を維持しており、回転軸１０９がモーター１０２及び減速機１０３から分離した状態であるので、回転軸１０９は自由自在に回転することができる。
【００４１】
釣糸３０が下降することによる回転軸１０９の回転はチェーン１０８を介して入力軸１１１に伝達され、ウォーム減速機１１０によって大きく減速された後、出力軸１１２に伝達される。出力軸１１２が回転すると、指示器１３１も回転して「０」から徐々に「７０」に向かって回転する。
【００４２】
指示器１３１が「７０」を指すと、出力軸１１２とともに回転するカム１１２ｂの突出部が下降板１３５に設置されている下降制限スイッチ１３５ｃを作動させる。下降制限スイッチ１３５ｃが作動すると、ウォーム減速機１１０に設置された電磁ブレーキ１２０が作動して入力軸１１１及び回転軸１０９の回転を制動する。よって、ドラム１０１の回転は速かに停止され、釣糸３０がそれ以上解けない、すなわち下降を停止する。
【００４３】
釣糸３０は、錘３１の自重によって海水中に下降している途中、上部の玉３３ｂが小環１３にかかればそれ以上下降しない。この状態が図１に示す状態である。
【００４４】
このように、釣糸３０と釣針３２が海水中に下ろされた状態で、魚が釣針３２につけておいた餌を食べる過程で釣針３２にかかると、釣針３２にかかった魚の匹数が多くなるにしたがい釣竿１１の湾曲度が大きくなり、経験によってどのくらいの魚がかかったかを推定することができる。釣糸３０に、例えば、５匹程度の魚がかかったと推定できた場合に、釣上機１００の上昇調節取っ手１３２を回転させて、上昇板１３４と連動する上昇制限表示器１３４ｂが「０」を指すようにし、選択スイッチ１４０を上昇オンに位置させてモーター１０２を回転させ、電磁クラッチ１０４を作動させて回転軸１０９を反対方向に回転させながら釣糸３０を海水中から引き上げる。
【００４５】
この状態で、水深板１３０の指示器１３１は徐々に「０」に向かって反時計方向に回転して「０」の位置に到逹すれば、ウォーム減速機１１０の出力軸１１２とともに回転するカム１１２ａの突出部が上昇板１３４に設けられた上昇制限スイッチ１３４ｃを作動させることによりモーター１０２の作動が中止され、電磁クラッチ１０４が分離され、さらに電磁ブレーキ１２０が作動してドラム１０１及び回転軸１０９の回転を制動する。
【００４６】
こうして釣糸３０が上げられた状態を図２に示す。この状態では、魚がかかった部分の釣糸３０を手で引き上げながら、釣針にかかった魚を外して整理する。
【００４７】
モーター１０２によって釣糸３０が上昇または下降する間には、釣上機１００の上昇ランプ１４３または下降ランプ１４４が点灯する。
【００４８】
そして、釣糸３０が上昇調節取っ手１３２または下降調節取っ手１３３による調節の分だけ上昇または下降した後、肉眼で見て所望程度だけ上昇または下降しなかった場合には、上昇ボタン１４１または下降ボタン１４２を押しながら釣糸３０を上昇又は下降させる。
【００４９】
本発明の実施例による漁獲装置は、釣竿１１の湾曲度を観察することで、釣糸３０に何匹の魚がかかったかを比較的正確に推定することができ、所望匹数の魚がかかった時、釣糸３０を引き上げることで操業効率を大きく向上させることができる。
【００５０】
そして、本発明の実施例による漁獲装置に利用される釣上機１００は、釣糸３０の下降程度と上昇程度を自動的に調節することができるので、釣糸３０の上昇又は下降作業を非常に簡単に且つ速かに実施することができる。
【００５１】
本実施例の釣上機１００においては、釣糸３０を下ろす時は、ドラム１０１に巻き取られている釣糸３０が錘３１の自重によって徐々に解けながら海水中に下降するので、釣糸３０がもつれなく、さらに釣針３２にかけておいた餌も離脱しない。
【００５２】
以上実施例に沿って本発明を説明したが、本発明はこれらに制限されるものではない。例えば、種々の変更、改良、組合せ等が可能なことは当業者に自明であろう。
【産業上の利用可能性】
【００５３】
本発明は、釣竿の湾曲度を観察して、釣針にかかった太刀魚などの魚の匹数を推定し、目標とする匹数以上の太刀魚などの魚がかかったと判断される時、釣糸を引き上げ、さらに水深によって釣糸の上昇又は下降程度を自動的に制御することにより、操業効率を大きく向上させるだけでなく非常に簡便に操業することができる漁獲装置に適用可能である。
【図面の簡単な説明】
【００５４】
【図１】本発明による漁獲装置において釣糸を下降させた状態を示す構成図である。
【図２】本発明による漁獲装置において釣糸を上昇させた状態を示す構成図である。
【図３】本発明による漁獲装置用釣上機の正面図である、
【図４】図３の釣上機の平断面図である。
【図５】図３及び図４の釣上機の釣糸昇降調節システムの部分分解斜視図である。
【符号の説明】
【００５５】
１１…釣竿、１２…補助釣糸、１３…小環、１４…補助錘、２０…案内具、３０…釣糸、３１…錘、３２…釣針、３３ａ、３３ｂ…玉、１００…釣上機、１０１…ドラム、１０２…モーター、１０３…減速機、１０３ａ…減速機出力軸、１０４…電磁クラッチ、１０５…チェーン、１０６…ベアリング、１０７…スプロケット、１０８…チェーン、１０９…回転軸、１０９ａ、１０９ｂ…ベアリング、１１０…ウォーム減速機、１１１…入力軸、１１２…出力軸、１１２ａ、１１２ｂ…カム、１２０…電磁ブレーキ、１３０…水深板、１３１…指示器、１３２…上昇調節取っ手、１３３…下降調節取っ手、１３４…上昇板、１３４ａ…突出軸、１３４ｂ…上昇制限表示器、１３４ｃ…上昇制限スイッチ、１３５…下降板、１３５ｂ…下降制限表示器、１３５ｃ…下降制限スイッチ、１３６、１３７…チェーン、１４０…選択スイッチ、１４１…上昇ボタン、１４２…下降ボタン、１４３…上昇ランプ、１４４…下降ランプ
【図１】
0004410778.tif 000002
【図２】
0004410778.tif 000003
【図３】
0004410778.tif 000004
【図４】
0004410778.tif 000005
【図５】
0004410778.tif 000006